(57)【要約】【課題】ずれを抑制しつつ、不快感を軽減することができる吸収防汚製品を提供する。【解決手段】吸収防汚製品１０は、おりものシート又は布ナプキンとして用いられるものであり、幅方向よりも長さ方向が長く形成された縦型のライナー１１を備えている。ライナー１１は、布製であり、肌側の内布部材１１Ａと、ショーツ２０の側の外布部材１１Ｂとを有している。内布部材１１Ａの表面には、メッシュ生地よりなるメッシュ部材１１Ｃが設けられていることが好ましい。布ナプキン１０は、また、ライナー１１に対して一方の側部から幅方向に伸長するように設けられたバンド１２と、ライナー１１の他方の側部側に開口１３Ａを有し、この開口１３Ａから一方の側部側に向かい袋状部が設けられたポケット１３とを備えている。【選択図】図２
2017192600.tif 000002
【特許請求の範囲】
【請求項１】
幅方向よりも長さ方向が長く形成された布製のライナーと、
このライナーに対して一方の側部から幅方向に伸長するように設けられたバンドと、
前記ライナーの他方の側部側に開口を有し、この開口から一方の側部側に向かい袋状部が設けられたポケットと
を備えたことを特徴とする吸収防汚製品。
【請求項２】
前記ライナーをショーツのクロッチ部の内側に配置し、前記バンドをショーツのクロッチ部の外側に回して先端部を前記ポケットに挿入することにより、前記ライナーをショーツのクロッチ部に固定可能としたことを特徴とする請求項１記載の吸収防汚製品。
【請求項３】
前記バンドは、
前記ライナーに配設されたバンド基端部と、
このバンド基端部の先端に設けられ、前記バンド基端部とは別部材よりなり、前記ポケットに挿入されるアタッチ部と
を有することを特徴とする請求項１又は請求項２記載の吸収防汚製品。
【請求項４】
前記ライナーは、肌が当接される側の表面に、メッシュ生地よりなるメッシュ部材を備えたことを特徴とする請求項１から請求項３のいずれか１に記載の吸収防汚製品。
【請求項５】
おりものシート又は布ナプキンであることを特徴とする請求項１から請求項４のいずれか１に記載の吸収防汚製品。
【発明の詳細な説明】
【技術分野】
【０００１】
本発明は、女性のショーツのクロッチ部に着用し、ショーツ等を汚れから守るための吸収防汚製品に関する。
【背景技術】
【０００２】
従来より、おりものシート又は生理用ナプキンなどの吸収防汚製品としては、例えば、表面をポリオレフィンやポリエステルなどの不織布で構成したいわゆる使い捨てタイプのものが多く使用されている。これらのおりものシート又は紙ナプキンは、一般に、ショーツのクロッチ部にテープで固定して使用するようになっている。しかし、このようなおりものシート又は紙ナプキンは、使用者によってはその素材により身体との接触部にかぶれやかゆみが生じる場合があり、また、使用済みのおりものシート又は紙ナプキンが環境に負荷を与えてしまうなどの問題点がある。
【０００３】
そこで、近年では、布製のものが見直され、その使用が徐々に広まりつつある。布製の吸収防汚製品は、洗濯することにより再利用が可能であり、また、布特有の暖かみがあり、局部が蒸れたりかぶれたりすることが少なく、更に、環境に与える負荷を軽減することができるなどの利点がある。このような布製の吸収防汚製品としては、例えば、布を複数枚重ねてショーツのクロッチ部に置いて使用するもの（例えば、特許文献１参照）や、本体から両側に伸長された羽根部を設け、本体をショーツのクロッチ部の内側に置き、羽根部をクロッチ部の外側に曲げて、羽根部の先端同士をホックで留めて使用するもの（例えば、特許文献２参照）がある。
【先行技術文献】
【特許文献】
【０００４】
【特許文献１】特開２００１−３５３１８２号公報
【特許文献２】特開２００６−２８８６８１号公報
【発明の概要】
【発明が解決しようとする課題】
【０００５】
しかしながら、特許文献１は、単にショーツのクロッチ部に置くだけであるので、使用中にずれたり、ショーツから落ちてしまう場合があるという問題があった。また、特許文献２は、ホックで留めるので、ホックが肌に当たって痛みや異物感を感じ、不快に思う場合があるという問題があった。
【０００６】
本発明は、このような問題に基づきなされたものであり、ずれを抑制しつつ、不快感を軽減することができる吸収防汚製品を提供することを目的とする。
【課題を解決するための手段】
【０００７】
本発明の吸収防汚製品は、幅方向よりも長さ方向が長く形成された布製のライナーと、このライナーに対して一方の側部から幅方向に伸長するように設けられたバンドと、ライナーの他方の側部側に開口を有し、この開口から一方の側部側に向かい袋状部が設けられたポケットとを備えたものである。
【発明の効果】
【０００８】
本発明によれば、ライナーに対して一方の側部から幅方向に伸長するようにバンドを設けると共に、ライナーの他方の側部側に開口を有し、この開口から一方の側部側に向かい袋状部を形成したポケットを設けるようにしたので、例えば、ライナーをショーツのクロッチ部の内側に配置し、バンドをショーツのクロッチ部の外側に回して先端部をポケットに挿入することにより、ライナーをショーツに固定することができる。よって、ホックなどの部品を用いずにライナーを固定することができる。従って、ライナーのずれを抑制しつつ、ホックなどの部品が当たることによる不快感を軽減することができる。
【０００９】
特に、バンドが、バンド基端部と、このバンド基端部の先端に設けられ、バンド基端部とは別部材よりなるアタッチ部とを備えるようにすれば、バンドの先端部をポケットに入れやすくすることができ、かつ、入れた後は外れにくくすることができる。
【００１０】
また、ライナーの肌が当接される側の表面に、メッシュ生地よりなるメッシュ部材を備えるようにすれば、ライナーが濡れても肌に密着することを抑制することができ、密着による不快感を軽減することができる。
【図面の簡単な説明】
【００１１】
【図１】本発明の一実施の形態に係る吸収防汚製品の構成を表す図である。
【図２】図１に示したＩＩ−ＩＩ線に沿った部分断面図である。
【図３】図１に示した吸収防汚製品をショーツに取り付けた状態を表す図である。
【図４】図１に示した吸収防汚製品をショーツに取り付けた状態を表す他の図である。
【図５】図１に示した吸収防汚製品をショーツに取り付ける方法を説明するための前から見た図である。
【図６】図１に示した吸収防汚製品をショーツに取り付ける方法を説明するための上から見た図である。
【発明を実施するための形態】
【００１２】
以下、本発明の実施の形態について図面を参照して詳細に説明する。
【００１３】
図１は、本発明の一実施の形態に係る吸収防汚製品１０の構成を表すものであり、図２は、図１に示したＩＩ−ＩＩ線に沿った部分断面構成を表すものである。図３及び図４は、吸収防汚製品１０をショーツ２０に取り付けた状態を表すものである。この吸収防汚製品１０は、例えば、おりものシート又は布ナプキンとして用いられるものであり、幅方向よりも長さ方向が長く形成された縦型のライナー１１を備えている。
【００１４】
ライナー１１は、布製であり、例えば、肌側の内布部材１１Ａと、ショーツ２０の側の外布部材１１Ｂとを有している。なお、内布部材１１Ａ及び外布部材１１Ｂは、それぞれ１枚で構成するようにしてもよいが、複数枚を重ねて構成するようにしてもよい。これら内布部材１１Ａと外布部材１１Ｂとは、周縁部で縫い合わされている。ライナー１１の肌が当接される側の表面、すなわち内布部材１１Ａの表面には、例えば、メッシュ生地よりなるメッシュ部材１１Ｃが設けられていることが好ましい。ライナー１１が濡れても肌に密着することを抑制し、密着による不快感を低減することができるからである。メッシュ部材１１Ｃは、例えば、内布部材１１Ａ及び外布部材１１Ｂと共に縫い合わされている。
【００１５】
この吸収防汚製品１０は、また、ライナー１１に対して一方の側部から幅方向に伸長するように設けられたバンド１２と、ライナー１１の他方の側部側に開口１３Ａを有し、この開口１３Ａから一方の側部側に向かい袋状部が設けられたポケット１３とを備えている。
【００１６】
バンド１２は、例えば、布製であり、ライナー１１に配設されたバンド基端部１２Ａと、このバンド基端部１２Ａの先端に設けられ、バンド基端部１１Ａとは別部材よりなるアタッチ部１２Ｂとを有していることが好ましい。アタッチ部１２Ｂは、ポケット１３に挿入されるものであり、バンド基端部１１Ａと異なる部材よりなるアタッチ部１２Ｂを設けることにより、バンド１２の先端部をポケット１３に入れやすくすることができ、かつ、入れた後は外れにくくすることができるからである。なお、バンド１２は、例えば、ライナー１１の側の端部を内布部材１１Ａと外布部材１１Ｂとの間に挿入し、内布部材１１Ａ及び外布部材１１Ｂと共に縫い合わされることにより、ライナー１１に配設されている。
【００１７】
ポケット１３は、例えば、ライナー１１の他方の側部において、内布部材１１Ａと外布部材１１Ｂとを一部において縫い合わせずに開口１３Ａを設け、内布部材１１Ａと外布部材１１Ｂとの間に袋状部が形成されている。なお、内布部材１１Ａと外布部材１１Ｂとの間には、必要に応じて、吸収性を高めるための吸収布部材や、防水シート等を挿入するようにしてもよい。
【００１８】
この吸収防汚製品１０は、例えば、次のようにして用いられる。図５及び図６は、吸収防汚製品１０をショーツ２０に取り付ける方法を表すものである。この吸収防汚製品１０では、例えば、図５及び図６に示したように、ライナー１１をショーツ２０のクロッチ部２１の内側に配置し、バンド１２をショーツ２０のクロッチ部２１の外側に回して先端のアタッチ部１２Ｂをポケット１３に挿入する。これにより、ライナー１１をショーツ２０のクロッチ部２１に固定することができる。また、取り外す時には、バンド１２のアタッチ部１２Ｂをポケット１３から抜き出してバンド１２を外し、ライナー１１を外す。
【００１９】
このように、本実施の形態によれば、ライナー１１に対して一方の側部から幅方向に伸長するようにバンド１２を設けると共に、ライナー１１の他方の側部側に開口１３Ａを有し、この開口１３Ａから一方の側部側に向かい袋状部を形成したポケット１３を設けるようにしたので、例えば、ライナー１１をショーツ２０のクロッチ部２１の内側に配置し、バンド１２をショーツ２０のクロッチ部２１の外側に回して先端部をポケット１３に挿入することにより、ライナー１１をショーツ２０に固定することができる。よって、ホックなどの部品を用いずにライナー１１を固定することができる。従って、ライナー１１のずれを抑制しつつ、ホックなどの部品が当たることによる不快感を軽減することができる。
【００２０】
特に、バンド１２が、バンド基端部１２Ａと、このバンド基端部１２Ａの先端に設けられ、バンド基端部１２Ａとは別部材よりなるアタッチ部１２Ｂとを備えるようにすれば、バンド１２の先端部をポケットに入れやすくすることができ、かつ、入れた後は外れにくくすることができる。
【００２１】
また、ライナー１１の肌が当接される側の表面に、メッシュ生地よりなるメッシュ部材１１Ｃを備えるようにすれば、ライナー１１が濡れても肌に密着することを抑制することができ、密着による不快感を軽減することができる。
【００２２】
以上、実施の形態を挙げて本発明を説明したが、本発明は上記実施の形態に限定されるものではなく、種々変形可能である。例えば、上記実施の形態では、各構成要素について具体的に説明したが、全ての構成要素を備えていなくてもよく、また、他の構成要素を備えていてもよい。
【００２３】
例えば、上記実施の形態では、ポケット１３の開口１３Ａをライナー１１の他方の側部に設ける場合について説明したが、例えば、ライナー１１のショーツ２０側の面における他方の側部側に設けるようにしてもよい。この場合、ライナー１１の内布部材１１Ａの一部をショーツ２０側の面まで回り込ませ、内布部材１１Ａと外布部材１１Ｂとを一部において縫い合わせずに開口１３Ａを形成するようにしてもよく、また、外布部材１１Ｂの一部に開口１３Ａを設けるようにしてもよい。
【産業上の利用可能性】
【００２４】
おりものシート又は布ナプキンなどの吸収防汚製品に用いることができる。
【符号の説明】
【００２５】
１０…吸収防汚製品、１１…ライナー、１１Ａ…内布部材、１１Ｂ…外布部材、１１Ｃ…メッシュ部材、１２…バンド、１２Ａ…バンド基端部、１２Ｂ…アタッチ部、１３…ポケット、１３Ａ…開口、２０…ショーツ、２１…クロッチ部
【図１】
2017192600.tif 000003
【図２】
2017192600.tif 000004
【図３】
2017192600.tif 000005
【図４】
2017192600.tif 000006
【図５】
2017192600.tif 000007
【図６】
2017192600.tif 000008
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
肌側の内布部材と、ショーツの側の外布部材とが周縁部で縫い合わされており、幅方向よりも長さ方向が長く形成された布製のライナーと、
このライナーに対して一方の側部から幅方向に伸長するように設けられた布製のバンドと、
前記ライナーの他方の側部において、前記内布部材と前記外布部材とを一部において縫い合わせずに開口が設けられ、前記内布部材と前記外布部材とを周縁部で縫い合わすことにより間に形成された袋状部を有するポケットとを備え、
前記ライナーをショーツのクロッチ部の内側に配置し、前記バンドをショーツのクロッチ部の外側に回して先端部を前記ポケットに挿入することにより、前記ライナーをショーツのクロッチ部に固定可能とし、
前記バンドは、前記ライナーに配設されたバンド基端部と、このバンド基端部の先端に設けられ、前記ポケットに挿入されるアタッチ部とを有し、
前記ポケットは、吸収性を高めるための吸収布部材あるいは防水シートを挿入可能とした
ことを特徴とする吸収防汚製品。
【請求項２】
前記ライナーは、肌が当接される側の表面に、メッシュ生地よりなるメッシュ部材を備えたことを特徴とする請求項１に記載の吸収防汚製品。
【請求項３】
おりものシート又は布ナプキンであることを特徴とする請求項１または請求項２のいずれか１に記載の吸収防汚製品。